(57)【要約】【目的】複数の生体パターン認証装置を用いることなく、単独の認証装置のみでセキュリティーのレベルを変えることが可能であって、システム的にも簡易的であり、コスト的にもメリットが得られる生体パターン認証装置の提供。【構成】生体パターンの認証装置において、  データの解像度を切り替えられるようにすると共に、セキュリティーのレベルに応じたセキュリティーレベル信号を発生するセキュリティーレベル発生手段を有し、  前記セキュリティーレベル信号に応じて、  生体のパターン認識における解像度を切り替えるように制御する制御手段を有する。【選択図】      図１
2004240620.tif 000002
【特許請求の範囲】
【請求項１】
生体パターンの認証装置において、
データの解像度を切り替えられるようにすると共に、セキュリティーのレベルに応じたセキュリティーレベル信号を発生するセキュリティーレベル発生手段を有し、  前記セキュリティーレベル信号に応じて、  生体のパターン認識における解像度を切り替えるように制御する制御手段を有することを特徴とする生体パターン認証装置。
【請求項２】
前記セキュリティーレベル発生手段は、手動操作部材により異なるセキュリティーレベル信号を発生することを特徴とする請求項１記載の生体パターン認証装置。
【請求項３】
前記セキュリティーレベル発生手段は、前記生体パターン認証装置が接続される外部装置からの信号に応じて異なるセキュリティーレベルを発生することを特徴とする請求項１記載の生体パターン認証装置。
【請求項４】
前記セキュリティーレベル発生手段は、前記生体パターン認証装置が接続されるネットワーク上の機器の個体識別に応じて、異なるセキュリティーレベルを発生することを特徴とする請求項３記載の生体パターン認証装置。
【請求項５】
前記セキュリティーレベル発生手段は、前記生体パターン認証装置が接続されるネットワーク上のＵＲＬに応じて異なるセキュリティーレベルを発生することを特徴とする請求項３記載の生体パターン認証装置。
【請求項６】
前記セキュリティーレベル発生手段は、前記生体パターン認証装置が接続される外部装置上でのアプリケーションソフトに応じて異なるセキュリティーレベルを発生することを特徴とする請求項３記載の生体パターン認証装置。
【請求項７】
前記解像度はセキュリティーレベルが高いほど解像度が高くなることを特徴する請求項１記載の生体パターン認証装置。
【請求項８】
前記解像度の切り替えに応じて認証アルゴリズムも変更することを特徴とする請求項１記載の生体パターン認証装置。
【請求項９】
前記解像度の切り替えは撮像素子内で行われることを特徴とする請求項１記載の生体パターン認証装置。
【請求項１０】
前記解像度の切り替えはメモリ内で行われることを特徴とする請求項１記載の生体パターン認証装置。
【請求項１１】
前記解像度の切り替えは認証アルゴリズム内で行われることを特徴とする請求項１記載の生体パターン認証装置
【請求項１２】
生体パターンの認証装置において、
データの解像度を切り替えられるようにすると共に、登録データを異なる解像度で複数有し、生体パターン認証データを必要に応じて解像度切り替えることを特徴とする生体パターン認証装置。
【請求項１３】
認証は同じ解像度のデータ同士で行うことを特徴とする請求項１２記載の生体パターン認証装置。
【発明の詳細な説明】
【０００１】
【発明の属する技術分野】
本発明は、生体のパターン認証装置に係り、特にセキュリティ−レベルに応じて認証データの解像度を切り替えることを特徴とする生体パターン認証装置に関する。
【０００２】
【従来の技術】
従来、防犯やセキュリティーの強化として、指紋等の生体のパターン情報を登録し、個人認証として使用する生体パターン認証装置を組み込んだ様々なシステムが知られている。この中の１つとして、特開平１１−３３８９８５号に見られるような、生体パターン認証装置をＩＣカードに組み込み例も見られるようになった。これはセキュリティーのレベルを設け、セキュリティーが高レベルなところでは個人認証を行い、必要のないところでは認証を行わないようにしたものである。
【０００３】
このようなシステムでは、認証が必要なセキュリティーが高レベルなところと、認証の必要ない一般的なＩＣカードのセキュリティーの２種類しかないため、更にセキュリティーを高レベルにしたい場合等には、声紋や虹彩等の指紋とは異なる生体パターン情報を複数用いる方法か若しくは指紋の場合には複数の指で認証を行う方法が挙げられる。
【０００４】
【発明が解決しようとする課題】
このような従来のシステムでは、高レベルになればなるほど、高い安心感と引き換えに煩わしさが多くなるか、設備に資金が掛かる、若しくはその両方等の問題が見られた。
【０００５】
又同様に、ネットワーク上で取引される電子決済のようなシステムでは、生体のパターン情報をネットワークに接続された機器から得ることになり、高レベルのセキュリティーを保つためにはネットワーク上の機器内に複数の認証装置を設けることはコスト的にも高額になり、一般的にも普及しない恐れがある。
【０００６】
本発明は上記問題に鑑みてなされたもので、その目的とする処は、複数の生体パターン認証装置を用いることなく、単独の認証装置のみでセキュリティーのレベルを変えることが可能であって、システム的にも簡易的であり、コスト的にもメリットが得られる生体パターン認証装置を提供することにある。
【０００７】
【課題を解決するための手段】
上記目的を達成するため、本発明は、生体パターンの認証装置において、  データの解像度を切り替えられるようにすると共に、セキュリティーのレベルに応じたセキュリティーレベル信号を発生するセキュリティーレベル発生手段を有し、  前記セキュリティーレベル信号に応じて、  生体のパターン認識における解像度を切り替えるように制御する制御手段を有することを特徴とする。
【０００８】
【発明の実施の形態】
以下に本発明の実施の形態を添付図面に基づいて説明する。
【０００９】
図１は生体のパターン情報として指紋を想定した本発明の認証装置ブロック図である。
【００１０】
本システムでは大きく分けて２つのブロックに分けることができ、１つは生体パターン情報を読み取る「情報読み取り装置」と、もう１つは認証アルゴリズムを動作させる「ホストサーバー」である。
【００１１】
先ず、この「情報読み取り装置」から説明する。
【００１２】
又、この装置においてセンサー１０は指紋の隆線部と谷間部の静電容量を読み取る撮像素子か、若しくは指紋パターンを光学的に読み取る撮像素子である。この装置では光学的に読み取るセンサーであるが、適宜、静電容量タイプのセンサーの特徴も踏まえて説明する。
【００１３】
先ず、センサー１０において、指紋パターンが読まれた後、そのアナログ信号はＡＧＣ（オート・ゲイン・コントローラー）で適切なゲインを掛けた後、Ａ／Ｄ（アナログ・ディジタル変換）でディジタル信号に変換される。
【００１４】
ディジタル信号に変換された指紋パターンは、センサー１０の総画素数である１フレーム分を記憶することができるメモリ８０に書き込まれる。その後、「ホストサーバー」とのデータのやり取りを行う通信１１０を経由して外部に接続された「ホストサーバー」へメモリ８０から読み出される。
【００１５】
以上が「情報読み取り装置」内のデータの流れである。ここで述べた通信１１０であるが、これは図２を用いて説明する。
【００１６】
ここでは、メモリからのデータを一度、暗号化・暗号復号部１１１において暗号化を行う。その後、受信データ作成部１１２において、パケット情報に変換し、変調・復調部１１３でそのパケット情報をネットワークに対応した伝送速度に変調し、回線インターフェース１１４を介して「ホストサーバー」に送信される。
【００１７】
又、図示していないが、例えば「ホストサーバー」からのセキュリティーレベルを変化させる命令のようなコマンド要求信号に対しては、回線インターフェース１１４でデータを受け取り、変調・復調部１１３でデータを復調し、送受信データ作成部１１２でパケット情報を組み直し、暗号化・暗号復号部１１１で復号を行い、「情報読み取り装置」のレジスタ１２０に書き込まれる。
【００１８】
その後、制御コントロール９０は、レジスタ１２０からのセキュリティーレベル信号を解釈し、高解像度モード若しくは低解像度モードに切り替えるため、解像度を切り替える命令をＴＧ（タイミングジェネレータ）６０、メモリ８０、通信１１０に送信する。
【００１９】
ここで述べたＴＧ６０は、センサー１０の駆動パルスを作成しているところであり、又後で述べる人体検知２０やＬＥＤ３０への駆動パルスを作成している。又、この駆動パルスによりセンサー１０の解像度を変えることも行う。更に、メモリ８０は、制御コントロール９０からの解像度を切り替える信号により１フレーム分の書き込む大きさを変える。又、通信１１０も読み出す総画素数を変更する。
【００２０】
これにより、「ホストサーバー」という「情報読み取り装置」が接続されている外部装置からの信号に応じてセキュリティーレベルを変える動作が可能となる。
【００２１】
次に「ホストサーバー」でのデータの流れについて説明する。
【００２２】
「情報読み取り装置」からの指紋データを「ホストサーバー」内の通信２３０が受ける。これは図２と同じ構成であり、回線Ｉ／Ｆ１１４がデータを受け、変調・復調部１１３で復調を行い、送受信データ作成部１１２でパケット情報をデータに組み直す。
【００２３】
その後、演算処理２００内において２値化、特頂点抽出、又、予め記録装置２２０内に登録してある登録パターンとマッチング処理を行い、マッチしたなら照合確認信号を制御コントロール２１０から通信２３０、通信１１０を通してレジスタ１２０に書き込み、その命令を制御コントロール９０が解釈して表示１００に伝え、それにより表示１００において、例えばＬＥＤの点灯のような、使用者が目で見て分かるような形で表示する。ＬＥＤの詳細な動作については後のフローチャートで説明する。
【００２４】
又、演算処理２００の２値化において、指紋の隆線部、谷間部の差がはっきりしない場合、制御コントロール２１０から通信２３０、通信１１０を通してレジスタ１２０に命令が送信され、制御コントロール９０からＤＡ（ディジタル・アナログコントローラ）５０でディジタル信号をアナログ信号に変換して、ゲインを上げるか、若しくは下げる動作を行う。それでも光量が多い場合はＴＧ６０でＬＥＤの点灯時間を減らす、若しくは消燈を行う。逆に光量が少ない場合、ＬＥＤの点灯時間を長くさせる動作を行う。ここで、指紋の静電容量を測定するセンサーでは、照明用のＬＥＤは必要とせず、又、ＡＧＣのようなゲインを逐次行うものも必要ないが、乾燥している指や湿った指等、指の状態で容量が変わる場合、ゲインを切り替える必要がある。
【００２５】
以上が図１の認証装置システムブロックの説明である。
【００２６】
次に、センサー１０でセキュリティーレベルに伴う解像度の可変について、図３の撮像素子内における解像度切り替え概念図を用いて説明する。
【００２７】
図３において、１  画素は小さな四角形で表しており、高解像度では撮像素子内の全画素数を駆動するモードであり、低画素モードのおける間引きは２画素から１画素を間引く例であるが、間引きだけでなく信号電荷を加算することで低解像度モードに対応する概念もこの範疇に入ることも言うまでもない。
【００２８】
これにより、高解像度で撮像するときは、特徴点の抽出数を増やすことによってセキュリティーレベルが上げ、逆に低解像度で撮像するときは、特徴点の抽出数を減らすことによってセキュリティーレベルを下げることになる。又、低解像度では間引く間隔をセキュリティーのレベルで任意の画素ごとに間引くことでさらに細かいレベル設定が可能なのは言うまでもない。
【００２９】
演算処理２００で行われる特徴点抽出では指紋パターンの分岐や端点等の特徴を抽出し、相対位置をパターン情報として処理するものであるが、図示してある指紋の一部から、この解像度の低下に伴い、抽出される特徴点の数が減ることが分かる。そのため、セキュリティーレベルの低い時は抽出できる特徴点の総数が減少し、誤認証の確率が上昇するが、処理する画素数が減るため、高速に認証を行うことができる。
【００３０】
又、逆に高レベルにおいては、全画素を駆動することになるので、処理時間はセキュリティーレベルの低いものより掛かるのであるが、センサー内の画素ピッチを細かくすることにより、より高レベルの認証を行うことができる。これにより人体の指紋パターンの特徴点全てのみならず、例えば人体の汗腺パターンまでも特徴点として処理することが可能となる。
【００３１】
次に、このシステムについての動作フローの一例を図４及び図５に示すフローチャートを用いて更に詳しく説明する。尚、ここで想定している動作はインターネット上のＵＲＬでセキュリティーのレベルを変える場合、若しくは使用できるアプリケーションソフトをホストサーバーで管理し、使用者に対してレベルを与える場合である。又、情報読み取り装置は端末の一部としてＰＣ内に組み込まれたものを想定している。
【００３２】
ここで、図４は本発明の認証装置を用いる前の、個人の指紋パターンを登録する時の動作フローである。
【００３３】
先ず始めに個人情報登録を行う。ここでは端末であるＰＣのキーボードから入力するが、必要な個人情報、例えば名前、住所、ＴＥＬ、勤め先、年収等を入力し、ホストサーバーにおいて、個人情報を吟味してセキュリティーレベルを決定する。又、それと同時に、発番するＩＤ番号と共にセキュリティーレベルを登録する。その後、使用者にＩＤ番号を発番通知する。
【００３４】
その後、指紋登録のために使用者は予めその発番されたＩＤを入力する。ホストサーバーでは、その入力されたＩＤに対して予め登録されているＩＤと同じかどうかで判別する。ＩＤ判定でエラーとなったらエラー１表示において、ＩＤ番号が異なること、若しくは個人情報の未登録通知を行う。これにより再び個人情報の登録か、ＩＤ入力から始める。ＩＤ判定でＯＫの場合、そのセキュリティーレベルの解像度で駆動できるようにセンサーを駆動する。
【００３５】
次に、認証装置は指紋登録を行う前に、人体かどうかの検知を行う。これは図１の人体検知２０の部分で行うが、人体の電気抵抗を検知する、又は赤外線を用いて人体の熱を感知するものでも良い。その後、そのデータは図１のＡ／Ｄ７０でディジタル信号に変換された後に、メモリ８０、通信１１０を経由してホストサーバーに伝達される。ホストサーバーでは人体であるかないかを判別して、人体でなさそうな場合、エラー２表示でそのことを告げるか、若しくはもう一度人体検知をすることを告げる。
【００３６】
その後、人体検知でＯＫならば、指紋パターンの画像を取得する。その後、ホストサーバーに画像情報が送信され特徴点抽出を行う。そのとき、画像が暗過ぎる、若しくは明る過ぎる場合はホストサーバーから情報読み取り装置にリアルタイムにフィードバックされ、前述したように前記ＡＧＣ４０でゲインをコントロールする、又は前記ＬＥＤ３０で光量の調節を行い、適切な画像を得られるようにする。そうした後にも未だ特徴点がセキュリティーのレベルと合致する閾値以下だった場合、指が汚れている、若しくはその指の指紋が読み取りにくい等の原因があるので、別の指にする等のエラー３表示を表示し、再び画像取得を行う。ＯＫだった場合、その指の特徴点を相対位置関係等と共に登録する。使用者には登録が完了したことを通知する。
【００３７】
ここで、指紋の静電容量を測定するセンサーにおいて、特徴点の閾値判定で特徴点の数がセキュリティーレベルに見合う数より少なかった場合、先ず、乾燥指か湿った指であるので、ゲインを切り替え、それでも閾値以下の場合、エラー３表示で指を拭くことを告げ、もう一度、画像取得から行う。ＯＫだった場合、その指の特徴点を相対位置関係等と共に登録する。使用者には登録が完了したことを通知する。
【００３８】
図５は図４で登録した指紋を用いて実際に使用する時の処理手順を示すフローチャートである。
【００３９】
ここでは、前述したようにインターネット上のあるＵＲＬにおいて、生体パターン認証が必要な防犯機能のいるようなサイトにアクセスしようとした場合、若しくはホストサーバーが管理するアプリケーションソフトで防犯機能のいるようなソフトを起動する場合、先ず、セキュリティ―のレベルが決められており、そのレベルを取得する。その後、そのレベルに見合うように情報読み取り装置の前記センサー１０を駆動する。
【００４０】
その後、使用者はＩＤ入力を行い、ホストサーバーにおいて、その入力されたＩＤに対して予め登録されているＩＤと同じかどうかを判別する。ＩＤ判定でエラーとなったらエラー１表示において、ＩＤ番号が異なること、若しくは個人情報の未登録通知を行う。これにより再び個人情報の登録か、ＩＤ入力から始める。ＩＤ判定でＯＫの場合、人体検知を行う。ここでは人体であるかないかを判別して、人体でなさそうな場合、エラー２表示でそのことを告げるか、若しくはもう一度人体検知をすることを告げる。
【００４１】
その後、人体検知でＯＫならば指紋画像を取得し、ホストサーバーにその指紋画像を送信し、特徴点抽出を行う。そのとき、画像が暗過ぎる、若しくは明る過ぎ場合はホストサーバーから情報読み取り装置にリアルタイムにフィードバックされ、前述したように前記ＡＧＣ４０でゲインをコントロールする、又は前記ＬＥＤ３０で光量の調節を行い、適切な画像を得られるようにする。そうした後にも未だ特徴点がセキュリティーのレベルと合致する閾値以下だった場合、指が汚れている可能性があるので、指をきれいにする等のエラー３表示を表示し、再び画像取得を行う。
【００４２】
ここで、指紋の静電容量を測定するセンサーにおいて、特徴点の閾値判定で特徴点の数がセキュリティーレベルに見合う数より少なかった場合、先ず、乾燥指か湿った指であるので、ゲインを切り替え、それでも閾値以下の場合、エラー３表示で指を拭くことを告げ、再び画像取得から行う。
【００４３】
特徴点の閾値判定でＯＫだった場合、そのＩＤ番号で既に登録してある指紋情報とマッチングを行い、照合判定をする。これによりエラーだった場合、エラー４表示で表示し、画像取得からやり直すか、登録してある指紋とＩＤが異なることが予想されるため、ＩＤ入力からやり直す。ＯＫだった場合、認証完了通知を行い、そのサイトを表示する、若しくはソフトを起動する等して終了する。
【００４４】
又、このようなネットワークに接続された機器内に認証装置が存在する場合、機器自身のデバイスＩＤを、ネットワークを通じて取得することが可能となるため、それらのＩＤに応じて、セキュリティーレベルを変えられることは言うまでもない。
【００４５】
図６は手動操作部材によりセキュリティーレベルを発生するための認証装置システムブロック図である。
【００４６】
ここで述べるシステムは、ドア等に用いることを想定する。又、手動部材とはＳＷ１３０で情報読み取り装置内にディップスイッチのようなもので構成され、管理者がそのスイッチを操作することによりレベルを設定する。又、ここでは読み取り情報装置をＰＣの内部に設定している訳ではないので、別途ＩＤ入力部１４０を設け、ＩＤ番号を入力したり、個人情報を入力したりする。
【００４７】
又、通信１１０に関しては、ネットワークを介さずに単に「ホストサーバー」からのデータ要求信号に対してのみ、メモリ８０からの読み出し動作を行い、ホストからのコマンド要求信号により「情報読み取り装置」の動作モードを変化させるというネットワークを介することなく、「情報読み取り装置」と「ホストサーバー」が１対１に接続されたような構成でも構わない。その他の部分は図１に記載してあるものと同じである。
【００４８】
動作に関しては図７及び図８のフローチャートを用いて説明をする。
【００４９】
先ず、管理者が決めたセキュリティーレベルを認証装置は取得する。又、この場合、セキュリティーレベルが常にＳＷ１３０から得られるので登録の必要はない。その後、センサーはそのレベルに見合う解像度で駆動される。
【００５０】
使用者は、自分のＩＤ番号として忘れにくい英数字及びアルファベット適当に決めて入力し、「情報読み取り装置」は、その内容を「ホストサーバー」に転送する。「ホストサーバー」では、入力されたＩＤが既に登録されてないか検査し、重複していた場合、エラー１表示で別のＩＤに変えるよう告げる。重複してない場合、その入力されたＩＤでＩＤ登録する。
【００５１】
その後、人体検知を行う。これは図４のフローチャートで述べたことと同じであり、人体であるかないかを判別して、人体でなさそうな場合、エラー２表示でそのことを告げるか、若しくはもう一度人体検知をすることを告げる。
【００５２】
人体検知でＯＫならば、そのホストサーバーに画像情報が送信され特徴点抽出を行う。そのとき、画像が暗過ぎる、若しくは明る過ぎる場合はホストサーバーから情報読み取り装置にリアルタイムにフィードバックされ、前述したように前記ＡＧＣ４０でゲインをコントロールする、又は前記ＬＥＤ３０で光量の調節を行い、適切な画像を得られるようにする。そうした後にも未だ特徴点がセキュリティーのレベルと合致する閾値以下だった場合、指が汚れている、若しくはその指の指紋が読み取りにくい等の原因があるので、別の指にする等のエラー３表示を表示し、再び画像取得を行う。
【００５３】
ここで、指紋の静電容量を測定するセンサーにおいて、特徴点の閾値判定で特徴点の数がセキュリティーレベルに見合う数より少なかった場合、先ず、乾燥指か湿った指であるので、ゲインを切り替え、それでも閾値以下の場合、エラー３表示で指を拭くことを告げ、もう一度、画像取得から行う。
【００５４】
ＯＫだった場合、その指の特徴点を相対位置関係等と共に登録する。使用者には登録が完了したことを通知する。
【００５５】
図８は図７で登録した指紋を用いて実際に使用する時の処理手順を示すフローチャートである。
【００５６】
先ず、管理者が決めたセキュリティーレベルを認証装置は取得し、その後、センサーはそのレベルに見合う解像度で駆動される。
【００５７】
その後、使用者はＩＤ入力を行い、「ホストサーバー」において、その入力されたＩＤに対して予め登録されているＩＤと同じかどうかを判別する。ＩＤ判定でエラーとなると、エラー１表示において、ＩＤ番号が異なること、若しくは個人情報の未登録通知を行う。これにより再び個人情報の登録か、ＩＤ入力から始める。ＩＤ判定でＯＫの場合、人体検知を行う。ここでは人体であるかないかを判別して、人体でなさそうな場合、エラー２表示でそのことを告げるか、若しくはもう一度人体検知をすることを告げる。
【００５８】
その後、人体検知でＯＫならば指紋画像を取得し、「ホストサーバー」にその指紋画像を送信し、特徴点抽出を行う。そのとき、画像が暗過ぎる、若しくは明る過ぎる場合はホストサーバーから情報読み取り装置にリアルタイムにフィードバックされ、前述したように前記ＡＧＣ４０でゲインをコントロールする、又、前記ＬＥＤ３０で光量の調節を行い、適切な画像を得られるようにする。そうした後にも未だ特徴点がセキュリティーのレベルと合致する閾値以下だった場合、指が汚れている可能性があるので、指をきれいにする等のエラー３表示を表示し再び画像取得を行う。
【００５９】
ここで、指紋の静電容量を測定するセンサーにおいて、特徴点の閾値判定で特徴点の数がセキュリティーレベルに見合う数より少なかった場合、先ず、乾燥指か湿った指であるので、ゲインを切り替え、それでも閾値以下の場合、エラー３表示で指を拭くことを告げ、再び画像取得から行う。
【００６０】
特徴点の閾値判定でＯＫだった場合、そのＩＤ番号で既に登録してある指紋情報とマッチングを行い、照合判定をする。これによりエラーだった場合、エラー４表示で表示し、画像取得からやり直すか、登録してある指紋とＩＤが異なることが予想されるため、ＩＤ入力からやり直す。ＯＫだった場合、認証完了通知を行い、ドアを開ける等の処理を行う。
【００６１】
又、上述したように、図１のシステムブロック図で示した例では、ネットワークを介して「ホストサーバー」で認証や登録を行い、「情報読み取り装置」では生体パターンの読み取りだけを行う方法であり、  図６のシステムブロック図で示した例では、外部スイッチを設けセキュリティー管理するしドア等に設置する例を示したが、別の例として、「ホストサーバー」をＰＣで行い、そのＰＣ内に「情報読み取り装置」を設ける場合を想定する。
【００６２】
データのやり取りはＰＣのパラレルポートやＵＳＢ等で行う。そのため、メモリ８０はそれらの伝送スピード規格を吸収するバッファーの役割を果たし、通信１１０はその通信規格に合わせる必要がある。又、照合アルゴリズムはＰＣ内アプリケーションソフトとして有し演算処理２００を含めることが可能であり、記録装置２２０はＰＣ内のハードディスクで行う。
【００６３】
この場合の、セキュリティーレベルの設定は前記ＰＣ内アプリケーションソフトで管理者が行い、例えばＰＣ立ち上げ時にはセキュリティーレベルを高くし、スクリーンセーバーから復帰するときはセキュリティーレベルを下げて用いる等の使用例が考えられる。
【００６４】
以上、システムブロック図と動作フローチャートにおいて、センサー１０での解像度を切り替える動作で説明したが、この解像度の切り替えはセンサー１０のみならず、メモリ８０内において書き込み動作で間引きを行うか、全画素書き込んだ後に読み出し動作で間引きを行っても良い。又、認証アルゴリズムの存在する演算処理２００で行っても良く、このアルゴリズムがアプリケーションソフトとして存在する場合にはその中で行っても良い。
【００６５】
又、前記フローチャートより、１つの認証システム中において低レベルのセキュリティーから高レベルのセキュリティーまで、複数のレベルで認証したい場合は、その該当するセキュリティーレベルの全てに登録を行う必要がある。
【００６６】
【発明の効果】
以上の説明で明らかなように、本発明によれば、複数の生体パターン認証装置を用いることなく、単独の認証装置のみでセキュリティーのレベルを変えることが可能であるため、システム的にも簡易的であり、コスト的にもメリットが得られる。
【００６７】
又、セキュリティーの高レベルで用いる高解像度では汗腺パターンのような更に細かい特徴まで用いることが可能となるので高い信頼性を保つことが可能となる。
【００６８】
更に、セキュリティーのレベルを下げることにより、高速に認証を行うことができるため、認証までの使用時間が掛からなくなる。
【００６９】
又、異なる個体識別を持つ装置に応じて、それぞれセキュリティーのレベルを与え、認証時にはそのレベルに応じて迅速に認証を行うことが可能となる。
【００７０】
更に又、異なるアプリケーションソフトに応じて、それぞれセキュリティーのレベルを与え、認証時にはそのレベルに応じて迅速に認証を行うことが可能となる。
【００７１】
その他、異なるＵＲＬに応じて、それぞれセキュリティーのレベルを与え、認証時にはそのレベルに応じて迅速に認証を行うことが可能となる。
【図面の簡単な説明】
【図１】本発明に係る生体パターン認証装置のシステムブロック図である。
【図２】本発明に係る生体パターン認証装置の通信部の一例を示すブロック図である。
【図３】本発明に係る生体パターン認証装置の撮像素子内における解像度切り替えの概念図である。
【図４】本発明に係る生体パターン認証装置の動作フローチャート（指紋登録）である。
【図５】本発明に係る生体パターン認証装置の動作フローチャート（指紋認証）である。
【図６】手動部材を有する生体パターン認証装置のシステムブロック図である。
【図７】手動部材を有する生体パターン認証装置の動作フローチャート（指紋登録）である。
【図８】手動部材を有する生体パターン認証装置の動作フローチャート（指紋認証）である。
【符号の説明】
１０      センサー
２０      人体検知
３０      ＬＥＤ
４０      ＡＧＣ
５０      ＤＡ
６０      ＴＧ
７０      Ａ／Ｄ
８０      メモリ
９０      制御コントロール
１００    表示
１１０    通信
１２０    レジスタ
２３０    通信
２００    演算処理
２１０    制御コントロール
２２０    演算処理
【図１】
2004240620.tif 000003
【図２】
2004240620.tif 000004
【図３】
2004240620.tif 000005
【図４】
2004240620.tif 000006
【図５】
2004240620.tif 000007
【図６】
2004240620.tif 000008
【図７】
2004240620.tif 000009
【図８】
2004240620.tif 000010